(57)【特許請求の範囲】
【請求項１】
光源と、
対物レンズを介して前記光源からの光を試料上に集光して照射する光照射手段と、
試料から発する蛍光を検出する光検出器と、
を少なくとも具備する蛍光相関分光装置において、
試料像を得るための照明手段と、
前記試料と前記光照射手段により集光する光スポット位置との相対的な位置を調整する位置調整手段と、
前記試料像と試料上に集光する前記光照射手段からの光スポット像との両方を同時に３次元で撮像する撮像手段と、
前記対物レンズから前記光検出器までの光路上に設けられ、
試料像を形成する光と、前記試料を透過又は反射又は散乱する前記光源からの光との両方を少なくとも部分的に反射して前記撮像手段に向けられる反射手段と、
を具備し、
前記撮像手段は、前記試料像と前記試料上に集光する前記光照射手段からの光スポット像との両方を３次元像に構築する３次元画像構築手段を備えたことを特徴とする蛍光相関分光装置。
【請求項２】
前記反射手段は、切り替え手段によって光路に対して挿脱可能であり、前記反射手段が光路から外れたときに試料からの蛍光を前記光検出器に導くように配置されることを特徴とする請求項１に記載の蛍光相関分光装置。
【請求項３】
前記撮像手段は、共焦点レーザー顕微鏡モジュールであることを特徴とする請求項１に記載の蛍光相関分光装置。
【発明の詳細な説明】
【技術分野】
【０００１】  本発明は蛍光標識された細胞を微小領域で蛍光測光する蛍光測光装置に関し、特に蛍光標識された細胞の構成分子を同定する蛍光相関分光装置に関する。
【背景技術】
【０００２】  溶液中に蛍光標識された分子の同定等の解析を行うために蛍光相関分光法が広く利用されている。近年この解析技術が適用される対象は溶液中の蛍光分子から、部分的あるいは全体的に蛍光標識された細胞の構成分子にまで広げられている。特に最近のさまざまな蛍光タンパクの開発は、解析対象分子拡大の動きを更に加速させている。更に、蛍光タンパクを遺伝子操作により細胞内の特定の器官に発現させることも可能になっていることから、蛍光相関分光法をはじめとする蛍光測光技術は、生命現象の源である細胞機能の解明のための強力な道具として研究者の間で広く利用されるようになっている。【０００３】  そして、細胞や生体組織を解析対象とする場合には、光学顕微鏡やレーザー走査顕微鏡が蛍光相関分光装置と組み合わされて用いられている。【０００４】  特表２００１−５０５９９７号公報には通常の光学顕微鏡の光接続部に取り付け可能な蛍光相関分光ユニットが開示されている。この技術に係る蛍光相関分光モジュールは、励起光を入射するための接続部とピンホール装置とを備え、前記接続部と前記ピンホール装置が共通の支持体上に配置されている。そして、この構成により、既存の顕微鏡に容易に結合でき、更に再現性の良い測定結果を得ることができるとしている。【０００５】  特表２００３−５２４１８０号公報には、少なくとも一つの少量単位での蛍光相関分光分析用の機器構成要素からなり、蛍光相関分光分析のための測定箇所が、画像形成型の方法を利用することにより、少なくとも二次元単位で計測および選定され、また、画像形成型顕微鏡ユニットおよび機器構成要素が、共通の制御ユニットで操作され、さらに、少なくとも機器構成要素の分析結果が制御ユニットおよびコンピュータを通じて画像表示される光検出装置について開示されている。【０００６】  特表２００３−５２４１８０号公報に記載の技術によれば、測定対象である細胞等を走査型レーザー顕微鏡で画像化し、測定対象領域を画像上で指定することにより、この領域の蛍光相関分光データを自動的に取得することができるとしている。
【発明の開示】
【０００７】  ところで、細胞を構成する分子を蛍光相関分光法により解析する場合には、現在、細胞の所望の部分の解析を行っているかを保証する手段が必須となる。そもそも研究者が解析対象とするのは、細胞を構成する多くの器官のうちの特定の器官、即ち細胞核や細胞膜などであり、また、それらの器官と器官の境界部分である。通常、細胞の大きさは数ミクロンレベルであるが、蛍光相関分光法による解析対象領域はそれよりも１桁小さいサブミクロンレベルである。従って、蛍光相関分光法で解析する領域が間違いなくターゲットとする領域を捉えていることを保証できる手段が必須となる。
【０００８】  この点が、溶液中に蛍光標識された分子を解析する場合と大きく異なる。つまり均一な溶液中の分子の解析は、溶液内であればどこを測定してもよく、マイクロプレートが容器として使用される場合には、通常、ミリ〜サブミリメートルの精度レベルで溶液中に測定領域を設定するだけで十分である。従って、溶液中の分子の解析においては、測定領域の空間的な位置を高精度で保証する手段を必要としない。これに対して、上述したように、細胞や生体組織を解析対象とする場合には、高精度で空間的な測定位置を保証できることが必要となるのである。
【０００９】  しかしながら、これら従来技術は、実際の測定位置が所望の位置であることを担保する手段を備えておらず、得られる測定データの信頼性が低いという欠点を有する。
【００１０】  特表２００３−５２４１８０号公報には、上述したような測定位置が所望の位置であることを担保する手段についてはなんら言及しておらず、その記載から、そのような担保手段を設けることについては全く配慮されていないことが明らかである。
【００１１】  特表２００３−５２４１８０号公報に記載の技術においても、測定位置が所望の位置であることを担保する手段についてはなんら言及されていない。この技術は基本的には２次元像、あるいは３次元像を得た後、測定領域を指定し、２次元像、あるいは３次元像データに基づいて試料テーブル、又はスキャナ、又は対物レンズの垂直移動が制御され、目的の空間領域に測定光がスポット照射されるように駆動制御されるものであるが、これら駆動制御対象は必ずしも目的の空間領域に完全に位置制御されるとは限らないのである。
【００１２】  上述のように、蛍光相関分光法による解析対象領域は細胞を観察するときよりも１桁小さいサブミクロンレベルの位置制御が必要である。特表２００３−５２４１８０号公報に記載の技術では、試料テーブルや対物レンズの垂直移動に機械的なガイド機構を備えているが、オープンループの位置制御であるため、ガイドの非直線性による位置誤差が発生し、また、環境温度の変化や経時的な劣化による誤差が発生するため、完全な目標位置への位置制御は困難であると言っても過言ではない。
【００１３】  なお、位置制御方法としては、機械的なガイド機構を用いずに、スキャナを使用することが考えられる。スキャナについて言えば、通常ガルバノスキャナが用いられる。しかしながら、スキャナにも走査の非線形性があるため、上述と同様の理由により完全な目的位置への位置制御は困難と言ってよい。
【００１４】
本発明は、かかる事情に鑑みてなされたものであって、信頼性の高い測定データを得ることのできる蛍光相関分光装置を提供することを目的とする。
【００１５】
本発明の１局面に係る蛍光相関分光装置は、光源と、対物レンズを介して前記光源からの光を試料上に集光して照射する光照射手段と、試料から発する蛍光を検出する光検出器と、少なくとも具備する蛍光相関分光装置において、試料像を得るための照明手段と、前記試料と前記光照射手段により集光する光スポット位置との相対的な位置を調整する位置調整手段と、前記試料像と試料上に集光する前記光照射手段からの光スポット像との両方を同時に３次元で撮像する撮像手段と、前記対物レンズから前記光検出器までの光路上に設けられ、試料像を形成する光と、前記試料を透過又は反射又は散乱する前記光源からの光との両方を少なくとも部分的に反射して前記撮像手段に向けられる反射手段とを具備し、前記撮像手段は、前記試料像と前記試料上に集光する前記光照射手段からの光スポット像との両方を３次元像に構築する３次元画像構築手段を備えた。
【図面の簡単な説明】
【００１６】
【図１】本発明の第１の実施の形態に係る蛍光測光装置の構成を示す図。
【図２Ａ】蛍光観察用キューブを構成するそれぞれの光学素子の分光特性を示す図。
【図２Ｂ】蛍光観察用キューブを構成するそれぞれの光学素子の分光特性を示す図。
【図２Ｃ】蛍光観察用キューブを構成するそれぞれの光学素子の分光特性を示す図。
【図３】ダイクロイックミラーの分光特性を示す図。
【図４】ダイクロイックミラーの半透過／半反射の特性を示す図。
【図５Ａ】ダイクロイックミラーとバリアフィルタの分光特性を示す図。
【図５Ｂ】ダイクロイックミラーとバリアフィルタの分光特性を示す図。
【図５Ｃ】ダイクロイックミラーとバリアフィルタの分光特性を示す図。
【図６】本発明に係る第２の実施の形態の蛍光測光装置の構成を示す図。
【図７】ダイクロイックミラーの分光特性を示す図。
【図８】本発明に係る第３の実施の形態の蛍光測光装置の構成を示す図。
【図９Ａ】ダイクロイックミラーとバリアフィルタの分光特性を示す図。
【図９Ｂ】ダイクロイックミラーとバリアフィルタの分光特性を示す図。
【図１０】ダイクロイックミラーの分光特性を示す図。
【図１１】本発明に係る第４の実施の形態の蛍光測光装置の構成を示す図。
【図１２】３次元画像を示す図。
【発明を実施するための最良の形態】
【００１７】
以下の各実施の形態では、蛍光相関分光装置を上位概念である蛍光測光装置として説明する。
［第１の実施の形態］
図１は、本発明の第１の実施の形態に係る蛍光測光装置の構成を示す図である。
【００１８】  蛍光測光装置は、倒立型顕微鏡１００、光モジュール２００、光源／検出モジュール３００、ＣＣＤカメラ４００及びコンピュータ５００を備えている。【００１９】  倒立型顕微鏡１００の接続部１０１には、倒立型顕微鏡１００に励起光を供給するとともに蛍光を測光するための複数の光学素子を備えた光モジュール２００が接続されている。そして、この光モジュール２００には、光源／検出モジュール３００がシングルモードファイバ３０１を介して光学的に接続される。光源／検出モジュール３００は、励起光の光源、蛍光の検出器を備えている。また、光モジュール２００は接続部２０１を有し、ここに倒立型顕微鏡１００の細胞等の観察像を撮影するＣＣＤカメラ４００が接続されている。ＣＣＤカメラ４００の電気信号は図示しない処理ボードが内蔵されたコンピュータ５００に送られ、処理された画像等がモニタ５０１に表示される。【００２０】  次に倒立型顕微鏡１００の構成について説明する。【００２１】  試料１は培養細胞であり、核をＤＲＡＱ５で、微小管をＧＦＰで蛍光標識されている。ここで、ＤＲＡＱ５は、６３５ｎｍ近傍で励起されると、６７０ｎｍにピークをもつ蛍光を発する。また、ＧＦＰは、４８８ｎｍ近傍で励起されると、５２０ｎｍにピークをもつ蛍光を発する。【００２２】  試料１はシャーレ２に培養され、顕微鏡の電動ＸＹステージ１０２に載置されている。電動ＸＹステージ１０２は図示しない制御器を介してコンピュータ５００に接続され、コンピュータ５００からの指令に基づいて駆動制御される。対物レンズ１０３は図示しないガイド機構により光軸方向に手動又は電動で駆動可能であり、焦点調整を行うことができる。【００２３】  試料１の像を得るために、キセノンランプ１０４ａを具備する反射蛍光照明光学系１０４、およびハロゲンランプ１０５ａを具備する透過照明光学系１０５が備えられている。解析者は、必要に応じて反射蛍光照明光学系１０４あるいは透過照明光学系１０５を使用することができる。【００２４】  反射蛍光照明光学系１０４は、励起フィルタ１０８ａ、ダイクロイックミラー１０８ｂ、バリアフィルタ１０８ｃからなる蛍光観察用キューブ１０８を具備しており、さらに、蛍光観察用キューブ１０８は光路に挿脱可能に、切り替え装置（不図示）上に配置されている。図２Ａ、図２Ｂ、図２Ｃは、蛍光観察用キューブ１０８を構成するそれぞれの光学素子の分光特性を示す図である。図２Ａは、励起フィルタ１０８ａの分光特性、図２Ｂは、ダイクロイックミラー１０８ｂの分光特性、図２Ｃは、バリアフィルタ１０８ｃの分光特性を表わしている。これによって、照明光学系の光とレーザ光（後述）との透過・反射を制御して、ＧＦＰとＤＲＡＱ５で蛍光標識された培養細胞を同時に照明、観察することができる。【００２５】  上記照明系により照明されて、試料１の像は対物レンズ１０３、ダイクロイックミラー１０８ｂ、バリアフィルタ１０８ｃ、結像レンズ１０６、ミラー１０７を介して結像レンズ１０６の結像面に拡大像を作る。【００２６】  続いて、蛍光測光装置の動作について説明する。【００２７】  光源／検出モジュール３００には、４８８ｎｍの波長のレーザー光を発振する固体レーザー３���１、６３５ｎｍの波長のレーザー光を発振する半導体レーザー３０２、７８０ｎｍの波長のレーザー光を発振する半導体レーザー３０３が各レーザーに対応するシャッタ３０４とともに配置される。各レーザーから射出するレーザー光は適当なダイクロイックミラーやミラーを介して合成され、集光レンズ３０５とシングルモードファイバ３０１を介して光モジュール２００に導かれる。【００２８】  シングルモードファイバ３０１から射出するレーザー光はレンズ２０３を介して集光位置２０４に集光する。なお、集光位置２０４は結像レンズ１０６の結像位置に設定されている。また、レンズ２０３の射出のＮＡは対物レンズへの入射ビーム径が略対物レンズの瞳を満たすように設定されている。【００２９】  レーザー光は図３に示すような分光特性をもつダイクロイックミラー２０５で反射され、図４に示すような半透過／半反射の特性を有するビームスプリッタ２０６を透過する。そして、ミラー１０７、結像レンズ１０６、を経て対物レンズ１０３に入射し、試料１上に集光して光スポットを形成する。【００３０】  上記レーザー光で照射された試料１からの光（反射／散乱／蛍光等）は光路を逆に進み、反射蛍光照明光学系１０４あるいは透過照明光学系１０５で照明された試料からの光（透過／反射／散乱／蛍光等）とともにビームスプリッタ２０６に照射する。ビームスプリッタ２０６では、図４に示す特性によって、照射される光の光量の約半分が反射されてＣＣＤカメラ４００内のＣＣＤ撮像素子４０１に入る。このＣＣＤ撮像素子４０１は結像レンズ１０６の結像位置に配置されているため、試料の観察像と上記レーザ光の光スポット像とを得ることができる。この撮像はコンピュータ５００に送られ、モニタ５０１で表示される。【００３１】  なお、ビームスプリッタ２０６は図示しない切り替え手段により光路に挿脱可能に構成されており、試料の観察を行わずに試料からの蛍光測光を行うときには光路から外れるようになっている。なお、この動作は後述するように、レーザ光の選択に連動して行うように構成しても良い。【００３２】  結像レンズ１０６の焦点位置にはピンホール２０７が配置され、共焦点光学系が構成されている。そして、ピンホール２０７を通過した試料１からの光はコリメートレンズ２０８で平行光になって、図５Ａに示す分光特性を有するダイクロイックミラー２０９に入射する。この分光特性により、ＤＲＡＱ５で標識された試料の核からの蛍光はダイクロイックミラー２０９を透過し、微小管（ＧＦＰ）からの蛍光はダイクロイックミラー２０９で反射される。各光路にはそれぞれ図５Ｂ、図５Ｃに示す分光特性を有するバリアフィルタ２１０ａ，２１０ｂが配置されて、試料１からの蛍光のみを透過するようになっており、各蛍光は集光レンズ２１１ａ，２１１ｂを経てマルチモードファイバ２０２ａ，２０２ｂを介して光源／検出モジュール３００に導光される。【００３３】  光モジュール２００からの光が伝送されるマルチモードファイバ２０２ａ，２０２ｂには、高速フォトンカウンティングが可能なアバランシェフォトダイオード３０６ａ，３０６ｂが接続され、その測定出力は、通信／制御ボード３０７に送られる。そして、通信／制御ボード３０���はその測定出力をコンピュータ５００に送信し、コンピュータ５００はその測定値に基づいて蛍光相関解析を実行する。なお通信／制御ボード３０７はコンピュータ５００からの指令により各レーザーに対応したシャッタ３０４の開閉制御を行うとともに、各レーザーの発振出力も制御可能に構成されている。【００３４】  次にこの実施の形態の蛍光測光装置を用いた測定手順について詳細に説明する。【００３５】  ステップ１では、試料像を表示する。【００３６】  反射蛍光照明光学系１０４で試料を照明し、目的の試料部位である核に焦点を調整して、ＣＣＤカメラ４００によりモニタ５０１にＤＲＡＱ５で標識された試料の核の像６００、およびＧＦＰで標識された微小管の像６０１を表示する。なお表示は適当なＣＣＤのシャッタ速度で連続的に表示するとよい。【００３７】  ステップ２では、シャッタを制御して光源を選択する。【００３８】  コンピュータ５００からの指令により、７８０ｎｍの波長のレーザー光を発振する半導体レーザー３０３の光路に設定されているシャッタ３０４を開き、レーザー光を試料１に照射する。なおその他のレーザーに対応するシャッタ３０４は閉じておく。【００３９】  ステップ３では、試料の照準を行う。【００４０】  モニタ５０１上には、７８０ｎｍの波長のレーザー光を発振する半導体レーザー３０３からのレーザースポット６０２が表示されるので、レーザースポット６０２が細胞の所望の位置に照射されるように電動ステージ１０２を駆動して細胞を移動する。本実施の形態では、細胞の核を照準している。なお、核はＤＲＡＱ５で標識されているので、７８０ｎｍの波長のレーザー光を発振する半導体レーザー３０３では励起されることはない。したがって目的の場所を照準している間に試料１が退色する心配は全くない。【００４１】  ステップ４では、蛍光測光に必要のない光学素子を退避する。【００４２】  蛍光観察用キューブ１０８、ビームスプリッタ２０６を光路から外す。【００４３】  ステップ５では、シャッタを制御して光源を選択する。【００４４】  ７８０ｎｍの波長のレーザー光を発振する半導体レーザー３０３の光路に設定されているシャッタ３０４を閉じ、６３５ｎｍの波長のレーザー光を発振する半導体レーザー３０２の光路に設定されているシャッタ３０４を開放する。【００４５】  ステップ６では、蛍光測光を行う。【００４６】  ＤＲＡＱ５で標識された核の蛍光測光を開始し、測光データをコンピュータ５００に取り込む。【００４７】  ステップ７では、シャッタを制御する。【００４８】  測光が終了したら、６３５ｎｍの波長のレーザー光を発振する半導体レーザー３０３の光路に設定されているシャッタ３０４を閉じる。【００４９】  なお、上述の手順においてレーザー光源の選択に合せて、ビームスプリッタ２０６が挿脱されるような制御手段を設けても良い。【００５０】  以上、ＤＲＡＱで標識された核の蛍光測光を行う手順を示したが、４８８ｎｍの波長のレーザー光を発振する半導体レーザー３０１を照射してＧＦＰで標識した微小管を測光しても良いし、両方を切り替えながら測光してもよい。更に、試料像を得るためには、透過照明光学系１０５により照明した像を表示させてもよいし、透過照明光学系１０５、反射蛍光照明光学系１０４の両方により照明して試料像を表示させてもよい。【００５１】  また、レーザーに代えてＬＥＤを用いても良い。レーザーとほぼ同じ波長を持つＬＥＤは存在するため、ＬＥＤを用いることにより、蛍光測光装置を小型・安価に構成することができる。【００５２】  なお、照準用のレーザ３０１の波長は、測定用のレーザ３０２、３０３の波長よりも長いほうが望ましい。長波長の光は、短波長の光よりもエネルギが低いため、試料に対して測定を乱すような影響を及ぼさないからである。さらに、上述したステップに自動的に焦点を微調しながら蛍光測光を行うステップを加えても良い。これにより細胞の深さ方向の蛍光相関データを得ることができる。【００５３】  ［第１の実施の形態の効果］
第１の実施の形態では、試料を励起させるレーザーの他に、試料を照準するためのレーザーとして半導体レーザー３０３を設けている。そして、これらのレーザー光を合成して１本のシングルモードファイバを用いて照射光学系に導いている。従って、照準位置と測定位置とを一致させることができ、データの信頼性を高めることができる。【００５４】  また、ビームスプリッタ２０６を光路から挿脱することにより、容易に照準位置の観察と蛍光測定を切替えて確認することが可能である。【００５５】  更に、光モジュール２００がＣＣＤカメラの接続部２０１と光源／検出モジュール３００からの導光のためのレンズ２０３を含んでいるので、ＣＣＤカメラや写真撮影装置をとりつけるための顕微鏡の接続部に取り付けるだけで使用できる。もちろん、光モジュール２００は、ＣＣＤカメラ含めて一体として構成しても良い。【００５６】  本実施の形態では、光モジュール２００を倒立型顕微鏡に接続しているが、正立型顕微鏡の接続部に取り付けることも可能であり、システム性に優れた蛍光測光装置を提供できる。また、アバランシェフォトダイオードは光源／検出モジュール３００に内蔵されているので光モジュール２００を小型にできるという利点を有している。【００５７】  ［第２の実施の形態］
第２の実施の形態では、倒立型顕微鏡１００と光モジュール２００との構成が第１の実施の形態と異なっている。従って、第１の実施の形態と同一の部位には同一の符号を付してその詳細の説明を省略する。【００５８】  図６は、本発明に係る第２の実施の形態の蛍光測光装置の構成を示す図である。【００５９】  倒立型顕微鏡１００が第１の実施の形態と異なるところは、光源／検出モジュール３００からのレーザー光を導くコリメートレンズユニット７００を備えている点であり、これ以外は第１の実施の形態と同じ構成になっている。【００６０】  倒立型顕微鏡１００には接続部１０１を介して蛍光測光のための光モジュール２００が接続され、更に、光源／検出モジュール３００がシングルモードファイバ３０１、コリメートレンズユニット７００を介して倒立型顕微鏡１００に接続されている。そしてコリメートレンズユニット７００には、図７に示す分光特性を有するダイクロイックミラー７０１とコリメートレンズ７０２が設けられている。【００６１】  光モジュール２００が第１の実施の形態と異なるところは、光源／検出モジュール３００からのレーザー光を導く機構が設けられていない点と、ビームスプリッタ２０６に替えて全反射ミラー２１２が設けられている点であり、これ以外は第１の実施の形態と同じ構成になっている。【００６２】  光モジュール２００は接続部２０１を有し、ここにＣＣＤカメラ４００が接続されている。ＣＣＤカメラ４００の電気信号は図示しない処理ボードが内蔵されたコンピュータ５００に送られ、モニタ５０１に得られた画像が表示される。もちろん、光モジュール２００は、ＣＣＤカメラ含めて一体として構成しても良い。【００６３】  なお、光源／検出モジュール３００については第１の実施の形態と同じ構成である。【００６４】  続いて、蛍光測光装置の動作について説明する。【００６５】  光源／検出モジュール３００からのレーザー光は、コリメートレンズユニット７００と対物レンズ１０３を介して試料１に照射されて光スポットを生成する。試料１からの光（反射／散乱／蛍光等）と反射蛍光照明光学系１０４あるいは透過照明光学系１０５で照明された試料からの光（透過／反射／散乱／蛍光等）はともに光モジュール２００に導かれ、全反射ミラー２１２で反射されてＣＣＤカメラ４００に照射する。このＣＣＤ撮像素子４０１は結像レンズ１０６の結像位置に配置されているため、試料の観察像と光スポットの像を得ることができる。この撮像はコンピュータ５００に送られ、モニタ５０１で表示される。【００６６】  なお、全反射ミラー２１２は図示しない切り替え手段により光路に挿脱可能に構成されており、光源モジュール３００からのレーザー光が照射されて試料１からの蛍光測光を行うときには光路から外れるようになっている。この挿脱動作は、レーザ光の選択に連動して行うようにしても良い。その他については実施例１と同じ構成である。【００６７】  また、第２の実施の形態の蛍光測光装置を用いた測定手順についても第１の実施の形態と同じであるのでその詳細の説明を省略する。【００６８】  ［第２の実施の形態の効果］
第２の実施の形態では、光モジュール２００は光源／検出モジュール３００からの光導光部が実装されていないので、第１の実施の形態の構成よりも小型に製作することができる。【００６９】  また、ダイクロイックミラーに替えて全反射ミラー２１２を使用しているので、試料１からの光を光損失を抑えながらＣＣＤカメラ４００に送ることができる。【００７０】  ［第３の実施の形態］
第３の実施の形態では、一台のレーザーで照準用と測定用の機能を共用して最小のモジュール構成としている点が第１の実施の形態と異なっている。従って、第１の実施の形態と同一の部位には同一の符号を付してその詳細の説明を省略する。【００７１】  図８は、本発明に係る第３の実施の形態の蛍光測光装置の構成を示す図である。【００７２】  倒立型顕微鏡１００の接続部１０１には、倒立型顕微鏡１００に励起光を供給するとともに蛍光を測光するための複数の光学素子を備えた光モジュール２００が接続されている。そして、この光モジュール２００には、光源／検出モジュール３００がシングルモードファイバ３０１を介して光学的に接続される。光源／検出モジュール３００は、励起光の光源、蛍光の検出器を備えている。【００７３】  また、光モジュール２００は接続部２０１を有し、ここに倒立型顕微鏡１００の細胞等の観察像を撮影するＣＣＤカメラ４００が接続されている。ＣＣＤカメラ４００の電気信号は図示しない処理ボードが内蔵されたコンピュータ５００に送られ、モニタ５０１に処理された画像等が表示される。もちろん、光モジュール２００は、ＣＣＤカメラ４００を含んで一体として構成しても良い。【００７４】  試料１は培養細胞であり、核をＤＡＰＩで蛍光標識されている。試料１はシャーレ２に培養され、顕微鏡の電動ＸＹステージ１０２に載置されている。電動ＸＹステージ１０２は図示しない制御器を介してコンピュータ５００に接続され、コンピュータ５００からの指令に基づいて駆動制御される。対物レンズ１０３は図示しないガイド機構により光軸方向に手動又は電動で駆動可能であり、焦点調整を行うことができる。【００７５】  また、倒立型顕微鏡１００には、試料１の像を得るために、６８０ｎｍの光を発するＬＥＤ１０５ｂを具備する透過照明光学系１０５が備えられている。【００７６】  続いて、蛍光測光装置の動作について説明する。【００７７】  光源／検出モジュール３００には、４０５ｎｍの波長のレーザー光を発振する半導体レーザー３０８がシャッタ３０４とともに配置されている。レーザー光は集光レンズ３０５とシングルモードファイバ３０１を介して光モジュール２００に導かれる。【００７８】  シングルモードファイバ３０１から射出するレーザー光はレンズ２０３を介して集光位置２０４に集光する。なお、集光位置２０４は結像レンズ１０６の結像位置に設定されている。また、レンズ２０３の射出のＮＡは対物レンズへの入射ビーム径が略対物レンズの瞳を満たすように設定されている。【００７９】  レーザー光は図９Ａに示すような分光特性をもつダイクロイックミラー２０５で反射され、図１０に示すような分光特性を有する固定配置されたビームスプリッタ２０６を透過する。この分光特性では、４０５ｎｍの波長の光は約８０％程度透過する。そして、ミラー１０７、結像レンズ１０６を経て対物レンズ１０３に入射し、試料１上に集光して光スポットを形成する。【００８０】  上記レーザー光で照射された試料１からの光（反射／散乱／蛍光等）は光路を逆に進み、透過照明光学系１０５で照明された試料からの光（透過／反射／散乱／蛍光等）とともビームスプリッタ２０６を照射する。ビームスプリッタ２０���では、図１０に示す分光特性に応じて反射された光が、ＣＣＤカメラ４００内のＣＣＤ撮像素子４０１に入る。このＣＣＤ撮像素子４０１は結像レンズ１０６の結像位置に配置されているため、試料の観察像と光スポット像とを得ることができる。この撮像はコンピュータ５００に送られ、モニタ５０１で表示される。すなわち、モニタ５０１には透過像とともに４０５ｎｍの波長のレーザースポット像が表示される。【００８１】  一方試料１からのＤＡＰＩによる蛍光を含む光は図９Ｂに示すような分光特性を有するバリアフィルタ２１０によりＤＡＰＩによる蛍光のみが通過し、マルチモードファイバ２０２に入射する。なお、適当なコア径を有するマルチモードファイバ２０２の端面は結像レンズ１０６の結像位置に配置され、共焦点光学系として機能している。そして、ＤＡＰＩによる蛍光はマルチモードファイバ２０２を介して光源／検出モジュール３００に導光される。【００８２】  光モジュール２００からの光が伝送されるマルチモードファイバ２０２には、高速フォトンカウンティングが可能なアバランシェフォトダイオード３０６が接続され、その測定出力は、通信／制御ボード３０７に送られる。そして、通信／制御ボード３０７はその測定出力をコンピュータ５００に送信し、コンピュータ５００はその測定値に基づいて蛍光相関解析を実行する。なお通信／制御ボード３０７はコンピュータ５００からの指令により各レーザーに対応したシャッタ３０４の開閉制御を行うとともに、各レーザーの発振出力も制御可能に構成されている。【００８３】  次にこの実施の形態の蛍光測光装置を用いた測定手順について詳細に説明する。【００８４】  ステップ１では、試料像を表示する。【００８５】  透過照明光学系１０５で試料を照明し、ＣＣＤカメラ４００によりモニタ５０１に試料１の透過像を表示する。なお表示は適当なＣＣＤのシャッタ速度で連続的に表示するとよい。【００８６】  ステップ２では、シャッタを制御して光源を選択する。【００８７】  コンピュータ５００からの指令により半導体レーザー３０８の光路に設定されているシャッタ３０４を開きレーザー光を試料１に照射する。【００８８】  ステップ３では、試料を照準する。【００８９】  モニタ５０１上にレーザースポット６０２が表示されるので、レーザースポット６０２が細胞の所望の位置に照射されるように電動ステージ１０２を駆動して細胞の目的の場所に移動する。本実施の形態では、細胞の核を照準している。なお、核はＤＡＰＩで標識されているので、６８０ｎｍの波長の光を発するＬＥＤ１０５ｂでは励起されることはなく、したがって目的の場所を照準している間に試料１が退色する心配は全くない。【００９０】  ステップ４では、蛍光測光を行う。【００９１】  蛍光測光を開始し、測光データをコンピュータ５００に取り込む。【００９２】  ステップ５では、シャッタを制御する。【００９３】  測光が終了したら、シャッタ３０４を閉じる。【００９４】  ［第３の実施の形態の効果］
第３の実施の形態では、ビームスプリッタ２０６を固定配置するなどにより、駆動部を設けていない。したがって信頼性が高くかつ安価な蛍光測光装置を提供することができる。【００９５】  またレーザーに４０５ｎｍの波長のレーザー光を発振する半導体レーザー３０８を用い、１台で照準と測定を兼ねた構成としている。従って、装置の構成を最小とすることができる。【００９６】  ［第４の実施の形態］
第４の実施の形態では、共焦点レーザー顕微鏡を用いて構成している点が第１の実施の形態と異なっている。従って、第１の実施の形態と同一の部位には同一の符号を付してその詳細の説明を省略する。【００９７】  図１１は、本発明に係る第４の実施の形態の蛍光測光装置の構成を示す図である。【００９８】  倒立型顕微鏡１００の底面部にある接続部１０１には、倒立型顕微鏡１００に励起光を供給するとともに蛍光を測光するための複数の光学素子を備えた光モジュール２００が接続されている。そして、この光モジュール２００には、光源／検出モジュール３００がシングルモードファイバ３０１を介して光学的に接続される。光源／検出モジュール３００は、励起光の光源、蛍光の検出器を備えている。また、共焦点レーザー顕微鏡モジュール８００が倒立型顕微鏡１００の側面部にある接続部１１０に接続されている。共焦点レーザー顕微鏡モジュール８００からの出力信号は、図示しない処理ボードが内蔵されたコンピュータ５００に送られ、モニタ５０１に処理された画像等が表示される。【００９９】  倒立型顕微鏡１０１について説明する。【０１００】  試料１は培養細胞であり、核をＤＲＡＱ５で、微小管をＧＦＰで蛍光標識されている。試料１はシャーレ２に培養され、顕微鏡の電動ＸＹステージ１０２に載置されている。電動ＸＹステージ１０２は図示しない制御器を介してコンピュータ５００に接続され、コンピュータ５００からの指令に基づいて駆動制御される。対物レンズ１０３は図示しないガイド機構により光軸方向に手動又は電動で駆動可能であり、焦点調整を行うことができる。また、図４に示す半透過／半反射の特性を有するビームスプリッタ１１１が光路に挿脱可能に切り替え装置（不図示）上に配置されている。なお、透過照明光学系や反射蛍光照明光学系は煩雑を避けるために図示していないが、第一実施例と同様に具備していてもよい。【０１０１】  続いて、蛍光測光装置の動作について説明する。【０１０２】  光源／検出モジュール３００には、４８８ｎｍの波長のレーザー光を発振する固体レーザー３０１、６３５ｎｍの波長のレーザー光を発振する半導体レーザー３０２、７８０ｎｍの波長のレーザー光を発振する半導体レーザー３０３が各レーザーに対応するシャッタ３０４とともに配置される。各レーザー３０１、３０２から射出するレーザー光は適当なダイクロイックミラーを介して合成される。【０１０３】  合成されたレーザー光は、挿脱可能に配置されたミラー３０８が光路に挿入されているときには反射されて、集光レンズ３０５ｂとシングルモードファイバ３１０を介して、共焦点レーザー顕微鏡モジュール８００に導かれる。一方、合成されたレーザー光は、挿脱可能に配置されたミラー３０８が光路から外れているときはそのまま直進し、７８０ｎｍの波長のレーザー光を発振する半導体レーザー３０３と更に合成される。そして、レーザー光は集光レンズ３０５ａとシングルモードファイバ３０１を介して光モジュール２００に導かれる。【０１０４】  シングルモードファイバ３１０により共焦点レーザー顕微鏡モジュール８００に導かれたレーザー光は、コリメートレンズ８０１により平行光となり、図４に示す分光特性を有するダイクロ��ックミラー８０２で反射される。反射されたレーザー光は、ガルバノミラー８０３ａ、８０３ｂで２次元に光走査され、瞳投影レンズ８０４を介して倒立型顕微鏡１００に入射する。なおガルバノミラー８０３ａ、８０３ｂの中間位置８０５は、瞳投影レンズ８０４、ビームスプリッタ１１１、結像レンズ１０６を介して、略対物レンズ１０３の瞳位置、即ち後側焦点位置１０３’に投影されるようになっている。【０１０５】  これにより、対物レンズ１０３を射出するレーザー光は試料１上に集光すると共に、試料１を２次元に走査する。このレーザー光により励起され、試料１から発せられる蛍光（核：ＤＲＡＱ、微小管：ＧＦＰ）は、それぞれ光路を逆に戻り、ダイクロイックミラー８０２を透過して共焦点レンズ８０６、ピンホール８０７を通過し、図５Ａの分光特性を有するダイクロイックミラー８０８に入射する。【０１０６】  試料１からの蛍光は、ダイクロイックミラー８０８の分光特性に応じて分岐する。即ち、核：ＤＲＡＱは透過し、微小管：ＧＦＰは反射する。これらの光はそれぞれ図５Ｂ、図５Ｃに示す分光特性を有するバリアフィルタ８０９ａ、８０９ｂで蛍光のみがそれぞれ取り出され、フォトマル８１０ａ、８１０ｂで検出される。この検知信号はコンピュータ５００に入力されて処理され、核：ＤＲＡＱ、微小管：ＧＦＰの各画像がモニタ５０１に表示される。【０１０７】  シングルモードファイバ３０１によって光モジュール２００に導かれたレーザー光はレンズ２０３を介して集光位置２０４に集光する。なお、集光位置２０４は結像レンズ１０６の結像位置に設定されている。またレンズ２０３の射出のＮＡは対物レンズへの入射ビーム径が略対物レンズの瞳を満たすように設定されている。レーザー光は図３に示す分光特性をもつダイクロイックミラー２０５で反射され、倒立型顕微鏡１００に入り、ビームスプリッタ１１１、結像レンズ１０６を経て対物レンズ１０３に入射し、試料１上に集光して光スポットを形成する。【０１０８】  上記レーザー光で照射された試料１からの光（反射／散乱／蛍光等）は光路を逆に進み、共焦点レーザー顕微鏡モジュール８００で光走査された試料からの光（透過／反射／散乱／蛍光等）とともにビームスプリッタ１１１で光量の約半分が反射されて共焦点レーザー顕微鏡モジュール８００に戻り、上述のようにモニタ５０１に表示される。【０１０９】  一方、蛍光測光を行う際には、ビームスプリッタ１１１は切り替え手段（不図示）により光路から外されるため、試料からの光は光モジュール２００に入射する。光モジュール２００に設けられたピンホール２０７は結像レンズ１０６の焦点位置に配置され、共焦点光学系が構成されている。ピンホール２０７を通過した試料１からの光はコリメートレンズ２０８で平行光になって図５Ａに示す分光特性を有するダイクロイックミラー２０９に入射する。【０１１０】  この分光特性により、試料の核（ＤＲＡＱ５）からの蛍光は透過し、微小管（ＧＦＰ）からの蛍光は反射される。各光路にはそれぞれバリアフィルタ２１０ａ，２１０ｂが配置されて、試料１からの蛍光のみを透過するようになっており、各蛍光は集光レンズ２１１ａ，２１１ｂを経てマルチモードファイバ２０２ａ，２��２ｂに導光されて光源／検出モジュール３００に送られる。【０１１１】  光モジュール２００からの光が伝送されるマルチモードファイバ２０２ａ，２０２ｂには、高速フォトンカウンティングが可能なアバランシェフォトダイオード３０６ａ，３０６ｂが接続され、その測定出力は、通信／制御ボード３０７に送られる。そして、通信／制御ボード３０７はその測定出力をコンピュータ５００に送信し、コンピュータ５００はその測定値に基づいて蛍光相関解析を実行する。なお通信／制御ボード３０７はコンピュータ５００からの指令により各レーザーに対応したシャッタ３０４の開閉制御を行うとともに、各レーザーの発振出力も制御可能に構成されている。【０１１２】  次にこの実施の形態の蛍光測光装置を用いた測定手順について詳細に説明する。【０１１３】  ステップ１では、試料像を表示する。【０１１４】  ４８８ｎｍの波長のレーザー光を発振する固体レーザー３０１、６３５ｎｍの波長のレーザー光を発振する半導体レーザー３０２に対応するシャッタ３０４を開放にするとともに、ミラー３０８を光路に挿入し、共焦点レーザー顕微鏡モジュール８００にレーザー光を伝送する。【０１１５】  共焦点レーザー顕微鏡モジュール８００を用いて試料１を照射し、目的の試料部位（この例では核）に焦点を調整して、フォトマル８１０ａ、８１０ｂの出力信号をコンピュータ５００に出力する。コンピュータ５００は、出力信号に基づいてモニタ５０１にＤＲＡＱ５で標識された試料の核の像６００、およびＧＦＰで標識された微小管の像６０１を表示する。なお表示は共焦点レーザー顕微鏡モジュール８００の走査速度に対応した速度で連続的に表示するとよい。【０１１６】  ステップ２では、シャッタを制御して光源を選択する。【０１１７】  コンピュータ５００からの指令により、７８０ｎｍの波長のレーザー光を発振する半導体レーザー３０３の光路に設定されているシャッタ３０４を開いて、照準用のレーザー光を試料１に照射する。なおその他のレーザーに対応するシャッタ３０４は閉じておく。【０１１８】  ステップ３では、試料を照準する。【０１１９】  モニタ５０１上にレーザースポット６０２が表示されるので、レーザースポット６０２が細胞の所望の位置に照射されるように電動ステージ１０２を駆動して細胞を目的の場所に移動する。本実施の形態では、細胞の核を照準している。なお、核はＤＲＡＱ５で標識されているので、７８０ｎｍの波長のレーザー光を発振する半導体レーザー３０３では励起されることはない。したがって目的の場所を照準している間に試料１が退色する心配は全くない。【０１２０】  ステップ４では、３次元画像を得る。【０１２１】  ステップ１の焦点面を変えて、核の大きさを包含する程度にＸＹＺ画像を取得し、この画像を元に図１２に示す３次元画像を得る。これにより７８０ｎｍの波長のレーザースポット像６０２、ＤＲＡＱ５で標識された核６００、ＧＦＰで標識された微小管６０１の画像が表示され、測定スポット６０２が所望の位置にあるかどうかを確認する。よければ次のステップに進み、そうでなければステップ１からステップ４を繰り返す。【０１２２】  ステップ５では、蛍光測光に必要のない光学素子を退避する。【��１２３】  蛍光観察用キューブ１０８、ビームスプリッタ１１１を光路から外す。【０１２４】  ステップ６では、シャッタを制御して光源を選択する。【０１２５】  ７８０ｎｍの波長のレーザー光を発振する半導体レーザー３０２の光路に設定されているシャッタ３０４を閉じ、６３５ｎｍの波長のレーザー光を発振する半導体レーザー３０２の光路に設定されているシャッタ３０４を開放する。また、４８８ｎｍのレーザ光を発振する半導体レーザ３０１の光路に設定されているシャッタ３０４も閉じる。【０１２６】  ステップ７では、蛍光を測光する。【０１２７】  蛍光測光を開始し、測光データをコンピュータ５００に取り込む。【０１２８】  ステップ８では、シャッタを制御する。【０１２９】  測光が終了したら、６３５ｎｍの波長のレーザー光を発振する半導体レーザー３０２の光路に設定されているシャッタ３０４を閉じる。【０１３０】  本実施の形態ではＤＲＡＱ５で標識された核の蛍光測光の例を示したが、４８８ｎｍの波長のレーザー光を発振する半導体レーザー３０１を照射してＧＦＰで標識した微小管を測光しても良いし、両方切り替えながら測光してもよい。なお、上述した操作ステップは一例であってこれに限るものではない。【０１３１】  重要なことは、スポットの測定領域が少なくとも２次元以上で確認でき、目的とするスポット領域に照準されていれば蛍光測光を開始し、照準されていなければこれを位置合わせし直すことのできるステップを含むこと、および実現できる構成である。【０１３２】  なお、上述の各実施の形態では蛍光相関分光測光を行うためのシステムを例として挙げたが、勿論これに限られるものではなく、目的とする測定領域を確実に蛍光測光する必要のある装置であれば、全てに適合可能である。【０１３３】  ［第４の実施の形態の効果］
第４の実施の形態によれば、共焦点レーザー顕微鏡を用いた蛍光測光において、照準位置と測定位置とを一致させ、データの信頼性を高めることができる。【０１３４】  次に本発明の特徴となる点について説明する。【０１３５】  上述の各実施の形態においては全て、蛍光測光と撮像を切替える手段として、撮像光路を主光路から反射させ、蛍光測光光路を主光路をそのまま直進するように設定している。つまり、第１の実施の形態におけるビームスプリッタ２０６、第２の実施の形態における全反射ミラー２１２、第４の実施の形態におけるビームスプリッタ１１１である。【０１３６】  このような構成としたことには大きな理由がある。なぜなら、これを逆にすると、ビームスポット位置と試料像の両方を撮像する場合にはビームスプリッタを、蛍光測光時にはミラーを光路に入れることになるが、ビームスプリッタとミラーとの角度を完全には同じにできないため、ビームスプリッタを光路に入れてせっかく目的の試料位置にスポットを照準しても、蛍光測光のためにミラーに切り替えた時点で、先の照準位置には完全には照射できないからである。【０１３７】  これに対して、本実施の形態のように撮像光路を反射させるようにすることで、反射手段を光路からはずしても、蛍光測光時に照準位置が狂うことはない。注意すべきは、反射手段２０６、１１１のガラス板の平行度を、クサビにならないように、精度良く作成することだけである。【０１３８】  さらに特表２００３−５２４１８０号公報の図１を例に挙げれば理解しやすい。【０１３９】  もし、蛍光測光をＦＵで蛍光光量を損失無く行うとすると、分岐光路にはミラーが光路に選択されることになる。もし、ビームスプリッタとミラーが切り替え式に構成されているとしても（この特表２００３−５２４１８０号公報にはこのような記述は無いが）、ミラーとビームスプリッタの反射角度は完全には一致させられないので、正確に位置を照準することはできない。【０１４０】  以上説明した実施の形態に基づき、本発明は以下のように表わすことができる。【０１４１】  （１）光源と、試料上に前記光源からの光を対物レンズを介して集光して照射する光照射手段と、試料から発する蛍光を検出する光検出器と、少なくとも具備する蛍光測光装置において、試料像を得るための照明手段と、試料と前記光照射手段により集光する光スポット位置との相対的な位置を調整する位置調整手段と、試料像と試料上に集光する前記光照射手段からの光スポット像との両方を同時に２次元、又は３次元で撮像する撮像手段と、を備えたことを特徴とする蛍光測光装置。【０１４２】  撮像手段は、第１〜３の実施の形態では、ＣＣＤカメラ４００として、第４の実施の形態では共焦点レーザー顕微鏡モジュール８００として表わしている。【０１４３】  （２）対物レンズから前記光検出器までの光路上には反射手段が設けられ、前記反射手段は、試料像を形成する光と、試料を透過又は反射又は散乱する前記光源からの光との両方を少なくとも部分的に反射して前記撮像手段に向けることを特徴とする蛍光測光装置。【０１４４】  反射手段は、第１〜４の実施の形態では、それぞれビームスプリッタ２０６、全反射ミラー２１２、ビームスプリッタ２０６、ビ��ムスプリッタ１１１として表わしている。【０１４５】  （３）前記反射手段は部分透過光学素子、又は、波長特性を有するダイクロイックミラー等のビームスプリッタで構成されることを特徴とする蛍光測光装置。【０１４６】  （４）前記ビームスプリッタは、試料からの蛍光を少なくとも部分的に透過して前記光検出器に導くように固定配置されることを特徴とする蛍光測光装置。【０１４７】  第３の実施の形態におけるビームスプリッタ２０６は、固定配置されている。【０１４８】  （５）前記反射手段は光路に挿脱可能に構成された全反射ミラーで構成され、前記光源からの光は前記対物レンズと前記全反射ミラーとの間の光路に導かれることを特徴とする蛍光測光装置。【０１４９】  第２の実施の形態では、全反射ミラー２１２が設けられている。【０１５０】  （６）前記反射手段は、切り替え手段によって光路に対して挿脱可能であり、前記反射手段が光路から外れたときに試料からの蛍光を前記光検出器に導くように配置されることを特徴とする蛍光測光装置。【０１５１】  第１、３、４の実施の形態におけるビームスプリッタ２０６、全反射ミラー２１２、ビームスプリッタ１１１は、切り替え手段によって光路に対して挿脱可能である。【０１５２】  （７）前記照明手段は反射型の照明装置で構成され、前記照明手段からの光は、前記反射手段と前記対物レンズとの間の光路上に導かれることを特徴とする蛍光測光装置。【０１５３】  第１、２の実施の形態における反射蛍光照明光学系１０４は、反射型の照明装置である。【０１５４】  （８）前記照明手段は透過型の照明装置で構成されることを特徴とする蛍光測光装置。【０１５５】  第１〜３の実施の形態における透過照明光学系１０５は、透過型の照明装置である。【０１５６】  （９）前記反射手段と前記光検出器との間に、前記光照射手段により集光する光スポットと光学的に共役な位置にピンホールが配置される請求項２に記載の蛍光測光装置。【０１５７】  第１、２、４の実施の形態には、ピンホール２０７が設けられている。【０１５８】  （１０）前記ピンホールは前記反射手段が配置される光路と同軸に配置されることを特徴とする蛍光測光装置。【０１５９】  （１１）少なくとも前記反射手段と前記ピンホールとは共通のフレーム上に光モジュールとして構成されることを特徴とする蛍光測光装置。【０１６０】  第１、２、４の実施の形態における光モジュールは、反射手段と前記ピンホールを備えている。ここで、光モジュールとは、複数の光学素子を備え一体として構成されるユニットをいう。【０１６１】  （１２）前記光モジュールは、前記撮像手段を接続可能な接続部を設けていることを特徴とする蛍光測光装置。【０１６２】  （１３）前記光モジュールは、前記撮像手段を含んでいることを特徴とする蛍光測光装置。【０１６３】  （１４）前記撮像手段は、２次元ＣＣＤカメラであることを特徴とする蛍光測光装置。【０１６４】  （１５）前記撮像手段は、共焦点レーザー顕微鏡モジュールであることを特徴とする蛍光測光装置。【０１６５】  （１６）前記光照射手段は、それぞれ波長の異なる蛍光測光のための測光用の光源と、測光位置確認のための光源とを含み、これら光源からの光を選択的に試料��向けて照射する光源選択手段を備えていることを特徴とする蛍光測光装置。【０１６６】  第１、２、４の実施の形態におけるシャッタ３０４は、光源からの光を選択的に試料に向けて照射する。【０１６７】  （１７）前記測光用の光源は、レーザー又はＬＥＤであることを特徴とする蛍光測光装置。【０１６８】  （１８）前記測光位置確認のための光源は、レーザー又はＬＥＤであることを特徴とする蛍光測光装置。【０１６９】  （１９）前記測光位置確認のための光源は、前記測光用の光源よりも長い波長の光を発することを特徴とする蛍光測光装置。【０１７０】  （２０）前記光源選択手段は前記切り替え手段と連動して動作し、測光位置確認のための光源が選択される場合には、前記反射手段が光路に挿入され、測光用の光源が選択される場合には、前記反射手段が光路から外れるように制御される制御手段を備えていることを特徴とする蛍光測光装置。【０１７１】  （２１）前記光照射手段は、前記測光用の光源からの光と前記測光位置確認のための光源からの光をシングルモードファイバに導入する導入手段を備えていることを特徴とする蛍光測光装置。【０１７２】  （２２）前記共焦点レーザー顕微鏡モジュールは試料像と前記試料上に集光する前記光照射手段からの光スポット像、の両方を、複数の２次元像を基に３次元像に構築する３次元画像構築手段を備えていることを特徴とする蛍光測光装置。【０１７３】  なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【産業上の利用可能性】
【０１７４】
本発明は目的とする測定領域を確実に蛍光測光することのできる蛍光相関分光装置を製造する産業に広く利用することができる。
【図１】
0004815349.tif 000002
【図２Ａ】
0004815349.tif 000003
【図２Ｂ】
0004815349.tif 000004
【図２Ｃ】
0004815349.tif 000005
【図３】
0004815349.tif 000006
【図４】
0004815349.tif 000007
【図５Ａ】
0004815349.tif 000008
【図５Ｂ】
0004815349.tif 000009
【図５Ｃ】
0004815349.tif 000010
【図６】
0004815349.tif 000011
【図７】
0004815349.tif 000012
【図８】
0004815349.tif 000013
【図９Ａ】
0004815349.tif 000014
【図９Ｂ】
0004815349.tif 000015
【図１０】
0004815349.tif 000016
【図１１】
0004815349.tif 000017
【図１２】
0004815349.tif 000018